(57)【要約】      （修正有）【課題】複数の絵画や写真などの美術材の収録と、収録した美術材を複数同時に展示できる展示装置であり、展示する美術材の切り替えは、展示装置を回転させるだけの操作で実現する展示装置を提供する。【解決手段】２つの筒状体と、両端に伸縮部材を付けた絵画や写真の美術材収録帯３と、同じ長さで両端に伸縮部材を付けた２つの回転補助帯４，５を用意する。１つの筒状体に美術材収録帯の一端の伸縮部材を固着して捲き付ける。もう１つの筒状体に２つの回転補助帯の一端の伸縮部材を固着して美術材収録帯とは逆向きに捲き付ける。美術材収録帯の一端の伸縮部材をもう一方の筒状体に固着し、２つの回転補助帯のそれぞれの一端の伸縮部材をもう一方の筒状体に固着することにより、２つの筒状体が回転可能な状態で連結した構成とする。２つの筒状形状体をお互い逆方向に回転させることにより、美術材収録帯に収録の絵画や写真の展示閲覧ができる。【選択図】図１
2016073581.tif 000002
【特許請求の範囲】
【請求項１】
筒状形状をした第１筒状体と、
筒状形状をした第２筒状体と、
左右側面に伸縮材からなる収録帯伸縮部材を備え、絵画や写真などの美術材が表示された四角形状の帯状形体をした美術材収録帯と、
左右側面に伸縮材からなる補助帯伸縮部材を備え、前記美術材収録帯と略同一横長さで、四角形状の帯状形体をした上部回転補助帯と、
左右側面に伸縮材からなる補助帯伸縮部材を備え、前記美術材収録帯と略同一横長さで、四角形状の帯状形体をした下部回転補助帯と、を有し、
前記美術材収録帯は、左側面側の前記収録帯伸縮部材の表面部を前記第１筒状体の側面に固着した状態で、該収録帯伸縮部材を伸長させて前記第１筒状体を回転させながら前記美術材収録帯の左側面から巻き付けられ、
前記上部回転補助帯は、右側面側の前記補助帯伸縮部材の表面部を前記第２筒状体の側面上部に固着した状態で、該補助帯伸縮部材を伸長させて前記第２筒状体を前記第１筒状体に前記美術材収録帯を巻き付ける回転方向と逆方向に回転させながら前記上部回転補助帯の右側面から巻き付けられ、
前記下部回転補助帯は、右側面側の前記補助帯伸縮部材の表面部を前記第２筒状体の側面下部に固着した状態で、該補助帯伸縮部材を伸長させて前記第２筒状体を前記第１筒状体に前記美術材収録帯を巻き付ける回転方向と逆方向に回転させながら前記下部回転補助帯の右側面から巻き付けられ、
前記美術材収録帯が右側面の前記収録帯伸縮部材の略近傍まで前記第１筒状体に巻き付けられた状態、かつ、前記上部回転補助帯および前記下部回転補助帯が左側面の前記補助帯伸縮部材の略近傍まで巻き付けられた状態で、前記美術材収録帯の右側面側の前記収録帯伸縮部材の裏面部を前記第２筒状体の側面に伸長させて固着するとともに、前記上部回転補助帯および前記下部回転補助帯の左側面側の前記補助帯伸縮部材の裏面部を前記第１筒状体の側面に伸長させて固着することにより構成したことを特徴する展示装置。
【請求項２】
それぞれの隣り合う面を密着させてたたむことができる前記第１筒状体と前記第２筒状体とを設けた請求項１記載の展示装置。
【請求項３】
前記第１筒状体と前記第２筒状体のそれぞれに、底板か天板、あるいは底板か天板の両方を設けた請求項１記載の展示装置。
【請求項４】
円柱状にした前記第１筒状体と前記第２筒状体とを設けた請求項１記載の展示装置。
【請求項５】
前記美術材収録帯に透明なフィルムなどで絵画や写真を入れるポケットを設けた請求項１記載の展示装置。
【請求項６】
美術材を添付可能な面を有する前記美術材収録帯を設けた請求項１記載の展示装置。
【請求項７】
前記美術材収録帯と前記上部回転補助帯と前記下部回転補助帯とを前記第１筒状体と前記第２筒状体の略横幅で分割し、それぞれの間を伸縮材で連結させた請求項１記載の展示装置。
【請求項８】
伸縮材で構成した前記上部回転補助帯と前記下部回転補助帯とを設けた請求項１記載の展示装置。
【発明の詳細な説明】
【技術分野】
【０００１】本発明は、複数の絵画や写真などの美術材の収録と展示を１つの装置で行う展示装置に関する。
【背景技術】
【０００２】従来、複数の紙葉を収録できるものはあったが、一度に展示できるのは２つのカレンダー紙葉に限定され、他のカレンダー紙葉に切り替えるには、紙葉を差し替える必要がある（例えば、特許文献１参照。）。【０００３】また、複数の写真を収録できても、一度に展示できる写真は１点に限定され、展示する写真を切り替えるには、カバーを取り外してページをめくり、カバーを装着し直す操作が必要である（例えば、特許文献２参照。）。【０００４】また、一般的に絵画や写真などはクリアファイルやアルバムなどに収録し、展示する際は額やパネルなどに移し替える必要がある。
【先行技術文献】
【特許文献】
【０００５】
【特許文献１】  公開特許公報  特開２０１１−１２６２６０号  広報
【０００６】
【特許文献２】  公開実用新案公報  実開平７−２０９１７号  広報
【発明の概要】
【発明が解決しようとする課題】
【０００７】本発明は、このような従来の構成が有していた問題を解決しようとするものであり、複数の絵画や写真などの美術材の収録と、収録した美術材を複数同時に展示できる展示装置であり、展示する美術材の切り替えは、展示装置を回転させるだけの操作で実現することを目的とするものである。
【課題を解決するための手段】
【０００８】そして、本発明は上記目的を達成するために筒状形状をした第１筒状体と、筒状形状をした第２筒状体と、左右側面に伸縮材からなる収録帯伸縮部材を備え、絵画や写真などの美術材が表示された四角形状の帯状形体をした美術材収録帯と、左右側面に伸縮材からなる補助帯伸縮部材を備え、美術材収録帯と略同一横長さで、四角形状の帯状形体をした上部回転補助帯と、左右側面に伸縮材からなる補助帯伸縮部材を備え、美術材収録帯と略同一横長さで、四角形状の帯状形体をした下部回転補助帯を設けたものである。【０００９】また、第２の解決手段は、第１筒状体と第２筒状体をたたむことができるようにしたものである。【００１０】また、第３の解決手段は、第１筒状体と第２筒状体のそれぞれに、底板か天板、あるいは底板か天板の両方を設けたものである。【００１１】また、第４の解決手段は、第１筒状体と第２筒状体を円柱状にしたものである。【００１２】また、第５の解決手段は、美術材収録帯に透明なフィルムのポケットを設けたものである。【００１３】また、第６の解決手段は、美術材収録帯に美術材を添付可能な面を設けたものである。【００１４】また、第７の解決手段は、美術材収録帯を複数の紙葉に分割して各紙葉間に伸縮部材を設けたものである。【００１５】また、第８の解決手段は、上部回転補助帯、下部回転補助帯を伸縮材で構成したものである。【００１６】ここで伸縮部材の目的について述べる。
第１筒状体、第２筒状体に美術材収録帯および上部回転補助帯、下部回転補助帯を何重にも捲きつける構造のため、各帯材の厚みと捲きつける回数によって、捲きつけ先の筒状体が太くなったり、細くなったりする。何も対処しないと、太くなったり、細くなったりする影響で帯材が引っ張れて切れたり、逆に緩んで筒状体から外れたりする場合がある。伸縮部材はこの太くなったり、細くなったりする影響を吸収するための部材である。なお、収録する絵画や写真などの美術材が少ないときや、帯材の厚みが薄いときは、筒状体が太くなったり、細くなったりする影響は少なく、伸縮部材を不要にできる場合もある。【００１７】上記第１の課題解決手段による作用は次の通りである。すなわち、複数の絵画や写真などの美術材の収録と展示が１つの装置で実現できる。【００１８】上記第２の課題解決手段による作用は次の通りである。すなわち、筒状体をたたむことができる。【００１９】上記第３の課題解決手段による作用は次の通りである。すなわち、底板、または底板と天板の両方を設けると筒状体を容器にできる。【００２０】上記第４の課題解決手段による作用は次の通りである。すなわち、美術材収録帯に絵巻物やパノラマ写真など横方向に長い美術材を収録することができる。【００２１】上記第５の課題解決手段による作用は次の通りである。すなわち、撮影や印刷した写真をポケットに差し込んだり入れ替えたりできる。【００２２】上記第６の課題解決手段による作用は次の通りである。すなわち、裏面にノリのついた絵画や写真（例えば「プリクラ」写真など）を美術材収録帯に自由に貼り付けることができる。【００２３】上記第７の課題解決手段による作用は次の通りである。すなわち、美術材収録帯と上部回転補助帯と下部回転補助帯の左右端だけに伸縮部材を設けた場合は収縮、伸張の吸収幅が大きく必要となり、伸縮部材を長くする必要がある。結果、筒状体の１面を伸縮部材が占有することになるが、各帯を分割してそれぞれの間に伸縮部材を分散して設けると、各伸縮部材を短くすることができる。【００２４】上記第８の課題解決手段による作用は次の通りである。すなわち、上部回転補助帯と下部回転補助帯の全体を伸縮材で構成できる。
【発明の効果】
【００２５】上述したように本発明の展示装置は、一度に複数の絵画や写真などの美術材の収録ができ、２つの筒状体をそれぞれ逆に回転させるだけの操作で収録されているすべての美術材の展示と閲覧ができる展示装置を提供できる。【００２６】また、筒状体をたたむと小さくなり、使用しないときの保管スペースが小さくなり、移動するときにも効果を発揮するものである。筒状体をたたんだ状態でも展示することができるので、展示スペースが狭いときにも効果を発揮するものである。【００２７】また、筒状体を容器にすると、鉛筆立に使えたり、ものを収容したりできる展示装置を提供できる。【００２８】また、円柱にすることにより、角がなくなるので連続した継ぎ目のない状態で展示閲覧できる展示装置を提供できる。【００２９】また、絵画や写真などの美術材のポケットを設けることにより美術材の収録と入れ替えができる展示装置を提供できる。【００３０】また、絵画や写真などの美術材の添付スペースを設けることにより、裏面にノリのついた絵画や写真（例えば「プリクラ」写真など）を美術材収録帯に自由に貼り付けて収録できる展示装置を提供できる。【００３１】また、美術材収録帯と上部回転補助帯と下部回転補助帯を分割し、それぞれの間に伸縮部材を分散して設けると、各伸縮部材は短くて済み、絵画や写真などの美術材が表示できない面をなくした展示装置を提供できる。【００３２】また、上部回転補助帯と下部回転補助帯の全体を伸縮材にすることにより、各補助帯への伸縮部材の取り付けが不要な展示装置を提供できる。
【図面の簡単な説明】
【００３３】
【図１】  本発明の実施形態を示す展示装置の斜視図
【図２】  同美術材収録帯の表面と上部回転補助帯と下部回転補助帯の正面図
【図３】  同美術材収録帯の背面図
【図４】  同美術材収録帯の第１筒状体と第２筒状体への取り付けを示す平面図
【図５】  同上部回転補助帯と下部回転補助帯の第１筒状体と第２筒状体への取り付けを示す平面図
【図６】  同筒状体をたためる構造にしたときの斜視図
【図７】  同筒状体を容器として使用したときの斜視図
【図８】  同筒状体を円柱にしたときの斜視図
【図９】  同美術材収録帯に透明フィルムポケットを設けたときの正面図
【図１０】  同美術材収録帯に美術材を添付可能な面を設けたときの正面図
【図１１】  同美術材収録帯と上部回転補助帯と下部回転補助帯を分割する場合の各帯の正面図
【図１２】  同美術材収録帯の図１１における部分断面図
【図１３】  同上部回転補助帯と下部回転補助帯を伸縮材で構成したときの正面図
【発明を実施するための形態】
【００３４】以下、本発明の実施の形態を図１〜図５に基づいて説明する。
【００３５】図においては、１は筒状形状をした第１筒状体、２は筒状形状をした第２筒状体、３は左右側面に伸縮材からなる収録帯伸縮部材を備え、絵画や写真などの美術材が表示された四角形状の帯状形体をした美術材収録帯、４は美術材収録帯と略同一横長さで、四角形状の帯状形体をした上部回転補助帯、５は美術材収録帯と略同一横長さで、四角形状の帯状形体をした下部回転補助帯である。６は美術材収録帯の伸縮部材、７は上部回転補助帯および下部回転補助帯の伸縮部材である。
【００３６】以下、上記構成の構造を説明する。美術材収録帯３は、左側面側の美術材収録帯の伸縮部材６の表面部を第１筒状体１の側面に固着した状態で、美術材収録帯の伸縮部材６を伸長させて第１筒状体を回転させながら美術材収録帯の左側面から巻き付ける。
【００３７】上部回転補助帯４は、右側面側の回転補助帯の伸縮部材７の表面部を第２筒状体２の側面上部に固着した状態で、回転補助帯の伸縮部材７を伸長させて第２筒状体２を第１筒状体１に美術材収録帯３を巻き付ける回転方向と逆方向に回転させながら上部回転補助帯４の右側面から巻き付ける。
下部回転補助帯５は、右側面側の回転補助帯の伸縮部材７の表面部を第２筒状体２の側面下部に固着した状態で、回転補助帯の伸縮部材７を伸長させて第２筒状体２を第１筒状体１に美術材収録帯３を巻き付ける回転方向と逆回転方向に回転させながら下部回転補助帯５の右側面から巻き付ける。
【００３８】美術材収録帯３が右側面の美術材収録帯の伸縮部材６の略近傍まで第１筒状体１に巻き付けられた状態、かつ、上部回転補助帯４および下部回転補助帯５が左側面の回転補助帯の伸縮部材７の略近傍まで巻き付けられた状態で、美術材収録帯３の右側面側の美術材収録帯の伸縮部材６の裏面部を第２筒状体２の側面に伸長させて固着するとともに、上部回転補助帯４および下部回転補助帯５の左側面側の回転補助帯の伸縮部材７の裏面部を第１筒状体１の側面に伸長させて固着する。
【００３９】図６は本発明の展示装置の筒状体をたたむことができるようにした例を示す図である。８は第１筒状体１の底板、９は第２筒状体の底板で、それぞれの底板の一辺が第１筒状体１および第２筒状体２の１つの側面に可動できる状態で連結される。各底板を第１筒状体１および第２筒状体２の側面と直角の状態にすると筒状態を保持できる。底板を第１筒状体１および第２筒状体２の側面に密着した状態にすると第１筒状体１および第２筒状体２のそれぞれ隣り合う面を密着させてたたむことができる。筒状態をたたんだまま展示することもできる。また、第１筒状体１および第２筒状体２を板状に形成しても同様の効果を得ることができる。
なお、他の部位の構成は図１〜図５と同様なので省略する。
【００４０】図７は本発明の展示装置の第１筒状体１および第２筒状体２を容器にする例を示す図である。１０は第１筒状体の天板、１１は第２筒状体の天板、１２は第１筒状体１の底板、１３は第２筒状体２の天板である。天板１０と１１、底板１２と１３を設けることにより、第１筒状体１および第２筒状体２は容器となる。
なお、他の部位の構成は図１〜図５と同様なので省略する。
【００４１】図８は本発明の展示装置の第１筒状体１および第２筒状体２を円柱状にした例を示す図である。１４は円柱状の第１筒状体、１５は円柱状の第２筒状体である。
なお、他の部位の構成は直方体と円柱の違いはあるが図１〜図５と同様なので省略する。
【００４２】図９は本発明の展示装置の美術材収録帯３に透明なフィルムなどで絵画や写真を入れるポケットを設けた美術材収録帯３の正面図である。１６は透明なフィルムのポケットである。フィルムのポケット１６に絵画や写真などの美術材を入れて収録、および入れ替えることができるようになる。
なお、他の部位の構成は図１〜図５と同様なので省略する。
【００４３】図１０は本発明の展示装置の美術材収録帯３に美術材を添付可能な面を設けたときの正面図である。美術材収録帯３に自由に美術材を貼り付けることができる。
なお、他の部位の構成は図１〜図５と同様なので省略する。
【００４４】図１１は本発明の展示装置の美術材収録帯３と上部回転補助帯４と下部回転補助帯５を複数の紙葉に分割して、その間を伸縮部材で連結させた例を示す図である。
１７は分割した美術材収録帯３の１紙葉、１８は分割した上部回転補助帯４の１紙葉、１９は分割した下部回転補助帯５の１紙葉、２０は分割した美術材収録帯３の各紙葉を連結する伸縮部材、２１は分割した上部回転補助帯４および下部回転補助帯５の各紙葉を連結する伸縮部材である。
図１２は、図１１のＡ−Ａ’間の部分断面図である。
美術材収録帯３の各紙葉、上部回転補助帯４の各紙葉、下部回転補助帯５の各紙葉の間に伸縮部材を固着して連結することにより、１つにつながった美術材収録帯３、上部回転補助帯４、下部回転補助帯５となる。
なお、他の部位の構成は図１〜図５と同様なので省略する。
【００４５】図１３は本発明の展示装置の上部回転補助帯４と下部回転補助帯５をすべて伸縮材で構成したときの正面図である。結果、各補助帯への伸縮部材の取り付けが不要となる。
なお、他の部位の構成は図１〜図５と同様なので省略する。
【符号の説明】
【００４６】１：第１筒状体
２：第２筒状体
３：美術材収録帯
４：上部回転補助帯
５：下部回転補助帯
６：美術材収録帯の伸縮部材
７：上部回転補助帯および下部回転補助帯の伸縮部材
８：第１筒状体の底板
９：第２筒状体の底板
１０：第１筒状体の天板
１１：第２筒状体の天板
１２：第１筒状体の底板
１３：第２筒状体の底板
１４：円柱状の第１筒状体
１５：円柱状の第２筒状体
１６：透明フィルムポケット
１７：分割した美術材収録帯の１紙葉
１８：分割した上部回転補助帯の１紙葉
１９：分割した下部回転補助帯の１紙葉
２０：分割した美術材収録帯の各紙葉間を連結する伸縮部材
２１：分割した上部回転補助帯および下部回転補助帯の各紙葉間を連結する伸縮部材
【図１】
2016073581.tif 000003
【図２】
2016073581.tif 000004
【図３】
2016073581.tif 000005
【図４】
2016073581.tif 000006
【図５】
2016073581.tif 000007
【図６】
2016073581.tif 000008
【図７】
2016073581.tif 000009
【図８】
2016073581.tif 000010
【図９】
2016073581.tif 000011
【図１０】
2016073581.tif 000012
【図１１】
2016073581.tif 000013
【図１２】
2016073581.tif 000014
【図１３】
2016073581.tif 000015